(57)【要約】  双方向シフトレジスタ（１０）と、双方向シフトレジスタ（１０）及び薄膜トランジスタに接続されデータレジスタ（２１）とデジタル／アナログ変換器（２３）とが含まれる複数のデータチャネル（２０）とを含むソースドライバ（１）、及び、液晶ディスプレイ。デジタル／アナログ変換器（２３）は、隣接する２つのデータチャネル（２０）に共用され、タイミングコントローラ（３０）からのライン反転信号を受信することにより、基準電圧の極性の反転を行い、隣接する２つのデータチャネル（２０）の出力電圧極性を決定する。ソースドライバ（１）の面積が小さく、コストが低い。
2018511832.tif 000002
【特許請求の範囲】
【請求項１】
双方向シフトレジスタと複数のデータチャネルとを含むソースドライバであって、
前記双方向シフトレジスタは、タイミングコントローラに接続されており、前記タイミングコントローラからクロック信号と同期信号を受信して、隣接する２つのデータチャネルのオンオフロジック状態を順次に制御するためのものであり、
前記データチャネルは、一端が前記双方向シフトレジスタに接続され、他端が薄膜トランジスタに接続されており、前記薄膜トランジスタにアナログ電圧を出力するためのものであり、前記データチャネルは、データレジスタ、デジタル／アナログ変換器、及びバッファ増幅器を含み、
前記デジタル／アナログ変換器は、前記隣接する２つのデータチャネルに共用され、且つ、前記デジタル／アナログ変換器は、前記タイミングコントローラからのライン反転信号を受信することにより、基準電圧の極性の反転を行い、隣接する２つのデータチャネルの出力電圧極性を決定し、前記デジタル／アナログ変換器は、さらに、デジタル信号を画素の駆動用のアナログ電圧に変換するために用いられ、
前記デジタル／アナログ変換器は、
前記タイミングコントローラに接続されており、前記ライン反転信号を受信するための反転入力端と、
隣接するデータチャネルにおける２つのデータレジスタに接続されており、前記デジタル信号を受信するための信号入力端と、
隣接するデータチャネルにおける２つのバッファ増幅器に接続されており、前記アナログ電圧をそれぞれ出力するための電圧出力端と、
を含むソースドライバ。
【請求項２】
ガンマ補正基準電圧を提供するための電圧モジュールと、
極性反転を制御する反転信号を提供して、前記ガンマ補正基準電圧の極性を決定するための極性反転制御モジュールと、
をさらに含む請求項１に記載のソースドライバ。
【請求項３】
前記極性反転制御モジュールは、クロック信号を受信し、１つのクロックサイクル毎に１つの反転信号を生成する請求項２に記載のソースドライバ。
【請求項４】
前記データチャネルは、前記データレジスタと前記デジタル／アナログ変換器との間に接続され、且つデジタル信号の電圧を増幅するための電位変換器をさらに含む請求項１に記載のソースドライバ。
【請求項５】
前記データレジスタは、前記双方向シフトレジスタ、電位変換器、及び前記タイミングコントローラに接続されており、前記クロック信号に応答し、デジタル信号を１つずつ記憶する請求項４に記載のソースドライバ。
【請求項６】
前記バッファ増幅器は、前記デジタル／アナログ変換器と前記薄膜トランジスタとの間に接続されており、前記アナログ電圧を増幅することにより、デジタル信号の駆動能力を向上させる請求項１に記載のソースドライバ。
【請求項７】
前記データレジスタは、少なくとも２つのラッチからなる請求項１に記載のソースドライバ。
【請求項８】
ソースドライバを含む液晶ディスプレイであって、
前記ソースドライバは、  
タイミングコントローラに接続されている双方向シフトレジスタと、
一端が前記双方向シフトレジスタに接続され、他端が薄膜トランジスタに接続されており、前記薄膜トランジスタにアナログ電圧を出力するためのものであり、データレジスタとデジタル／アナログ変換器とを含む複数のデータチャネルと、
を含み、
前記デジタル／アナログ変換器は、隣接する２つのデータチャネルに共用され、且つ前記デジタル／アナログ変換器は、前記タイミングコントローラからのライン反転信号を受信することにより、基準電圧の極性の反転を行い、隣接する２つのデータチャネルの出力電圧極性を決定する液晶ディスプレイ。
【請求項９】
前記データチャネルは、バッファ増幅器をさらに含み、
前記デジタル／アナログ変換器は、デジタル信号を画素の駆動用のアナログ電圧に変換するために用いられ、
前記デジタル／アナログ変換器は、
前記タイミングコントローラに接続されており、前記ライン反転信号を受信するための反転入力端と、
隣接するデータチャネルの中の２つのデータレジスタに接続されており、前記デジタル信号を受信するための信号入力端と、
隣接するデータチャネルの中の２つのバッファ増幅器に接続されており、前記アナログ電圧をそれぞれ出力するための電圧出力端と、
を含む請求項８に記載の液晶ディスプレイ。
【請求項１０】
前記ソースドライバは、
ガンマ補正基準電圧を提供するための電圧モジュールと、
極性反転を制御する反転信号を提供して、前記ガンマ補正基準電圧の極性を決定するための極性反転制御モジュールと、
をさらに含む請求項９に記載の液晶ディスプレイ。
【請求項１１】
前記極性反転制御モジュールは、クロック信号を受信し、１つのクロックサイクル毎に１つの反転信号を生成する請求項１０に記載の液晶ディスプレイ。
【請求項１２】
前記データチャネルは、前記データレジスタと前記デジタル／アナログ変換器との間に接続され、且つデジタル信号の電圧を増幅するための電位変換器をさらに含む請求項９に記載の液晶ディスプレイ。
【請求項１３】
前記データレジスタは、前記双方向シフトレジスタ、電位変換器、及び前記タイミングコントローラに接続されており、クロック信号に応答し、デジタル信号を１つずつ記憶する請求項１２に記載の液晶ディスプレイ。
【請求項１４】
前記バッファ増幅器は、前記デジタル／アナログ変換器と前記薄膜トランジスタとの間に接続されており、前記アナログ電圧を増幅することにより、デジタル信号の駆動能力を向上させる請求項９に記載の液晶ディスプレイ。
【請求項１５】
前記双方向シフトレジスタは、前記タイミングコントローラからクロック信号と同期信号を受信して、前記隣接するデータチャネルのオンオフロジック状態を順次に制御する請求項８に記載の液晶ディスプレイ。
【発明の詳細な説明】
【技術分野】
【０００１】
本発明は、液晶表示の技術分野、特にソースドライバ及び液晶ディスプレイに関する。
【背景技術】
【０００２】
薄膜トランジスタ液晶ディスプレイ（ＴＦＴ−ＬＣＤ）は、近年、液晶表示技術分野において最も活発な分野であって、最も競争力のある電子表示製品の一つである。
【０００３】
ＴＦＴ−ＬＣＤの表示情報はホストプロセッサからのものであるので、走査信号とアナログ電圧を受信し生成するために、システムの要求を満たすインターフェースが必要である。走査信号は、一般的に、走査ドライバ（「ゲートレベルドライバ」とも呼ばれている）によって生成され、その主な機能が走査電極にストロボ電圧を印加するものである。ＴＦＴ−ＬＣＤが表示する階調レベルは、データドライバ（「ソースドライバ」とも呼ばれている）によって生成されるアナログ電圧により実現され、出力信号電圧の変化に基づいて、画像素子に記憶されている階調電圧を変更することにより、該画素の階調レベルを決定する。
【０００４】
上述した技術において、ソースドライバは相対的に複雑で、異なる機能をサポートする必要があるので、通常は、サイズが大きく、コストが高い。
【発明の概要】
【発明が解決しようとする課題】
【０００５】
本発明は、上記の事情を鑑みると、従来技術における、ソースドライバのサイズが大きく、コストが高いという問題を解決するソースドライバ及び液晶ディスプレイを提供する。
【課題を解決するための手段】
【０００６】
前記の問題を解決するために、本発明の実施例は、双方向シフトレジスタと複数のデータチャネルとを含むソースドライバであって、
前記双方向シフトレジスタは、タイミングコントローラに接続されており、前記タイミングコントローラからクロック信号と同期信号を受信して、隣接する２つのデータチャネルのオンオフロジック状態を順次に制御するためのものであり、
前記データチャネルは、一端が前記双方向シフトレジスタに接続され、他端が薄膜トランジスタに接続されており、前記薄膜トランジスタにアナログ電圧を出力するためのものであり、前記データチャネルは、データレジスタ、デジタル／アナログ変換器、及びバッファ増幅器を含み、
前記デジタル／アナログ変換器は、前記隣接する２つのデータチャネルに共用され、且つ前記デジタル／アナログ変換器は、前記タイミングコントローラからのライン反転信号を受信することにより、基準電圧の極性の反転を行い、隣接する２つのデータチャネルの出力電圧極性を決定し、前記デジタル／アナログ変換器は、さらにデジタル信号を画素の駆動用のアナログ電圧に変換するために用いられ、
前記デジタル／アナログ変換器は、
前記タイミングコントローラに接続されており、前記ライン反転信号を受信するための反転入力端と、
隣接するデータチャネルにおける２つのデータレジスタに接続されており、前記デジタル信号を受信するための信号入力端と、
隣接するデータチャネルにおける２つのバッファ増幅器に接続されており、前記アナログ電圧をそれぞれ出力するための電圧出力端と、
を含むソースドライバを提供する。
【０００７】
好ましくは、前記ソースドライバは、
ガンマ補正基準電圧を提供するための電圧モジュールと、
極性反転を制御するための反転信号を提供して、前記ガンマ補正基準電圧の極性を決定するための極性反転制御モジュールと、を更に含む。
【０００８】
好ましくは、前記極性反転制御モジュールは、クロック信号を受信し、１つのクロックサイクル毎に１つの反転信号を生成する。
【０００９】
好ましくは、前記データチャネルは、前記データレジスタと前記デジタル／アナログ変換器との間に接続され、且つデジタル信号の電圧を増幅するための電位変換器を更に含む。
【００１０】
好ましくは、前記データレジスタは、前記双方向シフトレジスタ、電位変換器、及び前記タイミングコントローラに接続されており、前記クロック信号に応答し、デジタル信号を１つずつ記憶する。
【００１１】
好ましくは、前記バッファ増幅器は、前記デジタル／アナログ変換器と前記薄膜トランジスタとの間に接続されており、前記アナログ電圧を増幅することにより、デジタル信号の駆動能力を向上させる。
【００１２】
好ましくは、前記データレジスタは、少なくとも２つのラッチからなる。
【００１３】
上述した問題を解決するために、本発明の実施例は、ソースドライバを含む液晶ディスプレイであって、前記ソースドライバは、
タイミングコントローラに接続されている双方向シフトレジスタと、
一端は前記双方向シフトレジスタに接続され、他端は薄膜トランジスタに接続されており、前記薄膜トランジスタにアナログ電圧を出力するためのものであり、且つデータレジスタとデジタル／アナログ変換器とを含む複数のデータチャネルと、
を含み、
前記デジタル／アナログ変換器は、隣接する２つのデータチャネルに共用され、且つ前記デジタル／アナログ変換器は、前記タイミングコントローラからのライン反転信号を受信することにより、基準電圧の極性の反転を行い、隣接する２つのデータチャネルの出力電圧極性を決定する液晶ディスプレイを更に提供する。
【００１４】
好ましくは、前記データチャネルは、バッファ増幅器を更に含み、
前記デジタル／アナログ変換器は、デジタル信号を画素の駆動用のアナログ電圧に変換するためのものであり、前記デジタル／アナログ変換器は、
前記タイミングコントローラに接続されており、前記ライン反転信号を受信するための反転入力端と、
隣接するデータチャネルにおける２つのデータレジスタに接続されており、前記デジタル信号を受信するための信号入力端と、
隣接するデータチャネルにおける２つのバッファ増幅器に接続されており、前記アナログ電圧をそれぞれ出力するための電圧出力端と、
を含む。
【００１５】
好ましくは、前記ソースドライバは、
ガンマ補正基準電圧を提供するための電圧モジュールと、
極性反転を制御する反転信号を提供して、前記ガンマ補正基準電圧の極性を決定するための極性反転制御モジュールと、
を更に含む。
【００１６】
好ましくは、前記極性反転制御モジュールは、クロック信号を受信し、１つのクロックサイクル毎に１つの反転信号を生成する。
【００１７】
好ましくは、前記データチャネルは、前記データレジスタと前記デジタル／アナログ変換器との間に接続され、且つデジタル信号の電圧を増幅するための電位変換器を更に含む。
【００１８】
好ましくは、前記データレジスタは、前記双方向シフトレジスタ、電位変換器、及び前記タイミングコントローラに接続されており、前記クロック信号に応答し、デジタル信号を１つずつ記憶する。
【００１９】
好ましくは、前記バッファ増幅器は、前記デジタル／アナログ変換器と前記薄膜トランジスタとの間に接続されており、前記アナログ電圧を増幅することにより、デジタル信号の駆動能力を向上させる。
【００２０】
好ましくは、前記双方向シフトレジスタは、前記タイミングコントローラからクロック信号と同期信号を受信して、前記隣接するデータチャネルのオンオフロジック状態を順次に制御する。
【発明の効果】
【００２１】
従来技術に比べて、本発明のソースドライバ及び液晶ディスプレイは、１つのデジタル／アナログ変換器を共用することにより、データチャネルの回路配線を節約し、サイズを更に小さくするとともに、製造コストを低減させる。
【図面の簡単な説明】
【００２２】
以下、本発明の実施例又は従来技術の技術手段をより分かりやすくするために、実施例で使用される図面を簡単に説明する。以下に示された図面は、本発明の幾つかの実施例に過ぎず、当業者にとって、これらの図面に基づいて他の図面を導くことができる。
【図１】本発明の実施例１におけるソースドライバのブロック図である。
【図２】本発明の実施例１におけるソースドライバの回路模式図である。
【図３】本発明の実施例２のソースドライブ方法のフロー模式図である。
【図４】本発明の実施例３における液晶ディスプレイの回路模式図である。
【発明を実施するための形態】
【００２３】
図面を参考されたい。同一の部品の符号は同一の部品を表す。以下の説明は例示される本発明の具体的な実施例に基づくものであって、本発明において詳しく説明されていない他の実施例を制限するものではない。
【００２４】
実施例１
図１は、本発明の実施例のソースドライバのブロック図である。該ソースドライバは、双方向シフトレジスタ１０と、前記双方向シフトレジスタ１０に接続されている複数のデータチャネル２０と、タイミングコントローラ３０と、極性反転制御モジュール４０と、電圧モジュール５０とを含む。
【００２５】
前記双方向シフトレジスタ１０は、接続する複数のデータチャネル２０のオンオフロジック状態を制御する。
【００２６】
理解できるように、双方向シフトレジスタ１０は、１つのクロックサイクル毎に、その入力段のロジック状態をその出力段に転送するように動作する。各フレーム時間の開始に、同期信号を第１段のシフトレジスタに発信し、さらに、クロック信号によりシフトレジスタの出力状態の時間を制御すれば、対応するデータ線をオンにするかどうかのロジック状態を一本ずつ順次に出力することができる。
【００２７】
理解できるように、前記双方向シフトレジスタ１０は、一端が前記タイミングコントローラ３０に接続されており、クロック（ＣＬＫ）信号と同期（ＳＴＨ）信号を受信し、他端が前記複数のデータチャネル２０に接続されており、前記隣接するチャネルのチャネルロジック状態を順次に制御する。
【００２８】
前記データチャネル２０は、一端が前記双方向シフトレジスタ１０に接続され、他端が薄膜トランジスタ（図示せず）に接続されており、前記薄膜トランジスタにアナログ電圧を出力する。前記データチャネル２０は、データレジスタ２１と、電位変換器２２と、デジタル／アナログ変換器２３と、バッファ増幅器２４とを含む。
【００２９】
前記デジタル／アナログ変換器２３は、隣接する２つのデータチャネル２０に共用され、且つ前記デジタル／アナログ変換器２３は、前記タイミングコントローラ３０からのライン反転（ＰＯＬ）信号を受信することにより、基準電圧の極性の反転を行い、隣接する２つのデータチャネル２０の出力電圧極性を決定する。
【００３０】
理解できるように、前記データレジスタ２１は、前記双方向シフトレジスタ１０及び前記タイミングコントローラ３０に接続されている。前記データレジスタ２１は、前記クロック信号に応答し、１つの単位順序で少なくとも２つのデジタル信号をラッチさせるとともに、ラッチされるデジタル信号を出力する。
【００３１】
ここで、前記データレジスタ２１は２個又は２個以上のラッチからなる。２個のラッチである場合には、別途の回路素子は必要ではない。２個以上のラッチである場合には、ラッチの数に応じてダイプレクサを追加することにより回路を選択してもよい。本発明において、２個の場合を例として説明し、ダイプレクサの追加についての説明を省略する。
【００３２】
前記電位変換器２２は、前記データレジスタ２１と前記デジタル／アナログ変換器２３との間に接続されており、デジタル信号の電圧を増幅して、基準電圧に対するスイッチとする。
【００３３】
理解できるように、例えば、デジタル信号の電圧は＋３Ｖであり、電位変換器２２により＋２１Ｖに増幅され、又は、デジタル信号の電圧は−５Ｖであり、−２０Ｖに増幅される。
【００３４】
前記デジタル／アナログ変換器２３は、前記デジタル信号をアナログ電圧に変換する。前記デジタル／アナログ変換器２３は、反転入力端、信号入力端、及び電圧出力端を含む。反転入力端は、前記タイミングコントローラ３０に接続されており、前記ライン反転信号を受信する。信号入力端は、隣接するデータチャネル２０における２つの電位変換回路２２に接続され、デジタル信号を受信する。電圧出力端は、隣接するデータチャネル２０における２つのバッファ増幅器２４に接続され、データアナログ電圧をそれぞれ出力する。
【００３５】
前記デジタル／アナログ変換器２３は、ライン反転信号を受信し、ライン反転信号を受信した後、前記隣接するデータチャネル２０をライン反転する。
【００３６】
理解できるように、液晶分子に印加する電界は方向性を有し、異なる時間に、反対の電界を液晶分子に印加することにより、即ち「極性反転」することにより、ライン反転を行うことは、（１）配向膜の直流遮断効果、（２）移動可能な粒子による直流残留を避けることを目的とする。ここでは説明を省略する。
【００３７】
従来の画像アレイ反転方式には、フレーム反転、ライン反転、列反転、及び点反転の４つの種類がある。そのうち、ライン反転はインターレース反転であるのに対して、本発明において、前記反転は隣接するラインの共反転である。
【００３８】
極性反転制御モジュール４０は、極性反転を制御する反転信号を生成する。
【００３９】
理解できるように、前記極性反転制御モジュール４０は、タイミングコントローラ３０からのクロック信号を受信し、１つのクロックサイクル毎に１つの反転信号を生成する。
【００４０】
電圧モジュール５０は、ガンマ補正基準電圧を提供する。前記基準電圧の極性は、反転信号によってライン反転される。
【００４１】
前記バッファ増幅器２４は、デジタル信号の駆動能力を向上させるように、前記デジタル／アナログ変換器２３のアナログ電圧を増幅し、増幅されたアナログ電圧を薄膜トランジスタに転送する。ここで、前記増幅されたアナログ電圧は、薄膜トランジスタの画素階調電圧である。
【００４２】
図２は、本発明の実施例の回路図である。該ソースドライバは、隣接する２つのデータチャネルを含み、前記データチャネルのそれぞれは、２つのラッチ（Ｌａｔｃｈ）、電位変換器（Ｌｅｖｅｌ  Ｓｈｉｆｔ、Ｌ／Ｓ）、バッファ増幅器（ｂｕｆｆｅｒ  ａｍｐｌｉｆｉｅｒ）、及び隣接する２つのチャネルに共用されるデジタル／アナログ変換器（Ｄｉｇｉｔａｌ  ｔｏ  ａｎａｌｏｇ  ｃｏｎｖｅｒｔｅｒ、ＤＡＣ）を含む。ここで、前記ＤＡＣは反転信号（ＰＯＬ）と基準電圧（Ｖ）を受信する。
【００４３】
一般的なソースドライバにおいて、デジタル／アナログ変換器は回路面積全体の約６０％以上を占めるのに対し、本発明は、２つのデータチャネルが同一のデジタル／アナログ変換器を共用することにより、ソースドライバの面積を約３０％減少するとともに、ソースドライバの製造コストを低減させる。
【００４４】
実施例２
図３は、本発明の実施例のソースドライブ方法のフロー模式図である。
【００４５】
ステップＳ３０１において、双方向シフトレジスタは、クロック信号と同期信号を受信して、データチャネルのロジック状態を順次に制御する。
【００４６】
理解できるように、前記双方向シフトレジスタは、一端が前記タイミングコントローラに接続され、クロック（ＣＬＫ）信号と同期（ＳＴＨ）信号を受信する。他端は、前記複数のデータチャネルに接続され、生成するロジック状態信号を発信する。
【００４７】
ステップＳ３０２において、データチャネルにおけるデータレジスタは、クロック信号に基づいてデジタル信号を１つずつラッチする。
【００４８】
ステップＳ３０３において、電位変換器は、前記デジタル信号を増幅して、基準電圧に対するスイッチとする。
【００４９】
ステップＳ３０４において、デジタル／アナログ変換器は、隣接する２つのデータチャネルにおける電位変換器に接続され、デジタル信号を受信し、前記デジタル信号を画素の駆動用のアナログ電圧に変換する。
【００５０】
理解できるように、前記デジタル／アナログ変換器の入力端は、前記タイミングコントローラに接続され、前記ライン反転信号を受信し、及び、隣接するデータチャネルの中の２つの電位変換回路に接続され、デジタル信号を受信する。前記デジタル／アナログ変換器の出力端は、隣接するデータチャネルにおける２つのバッファ増幅器に接続され、データアナログ電圧をそれぞれ出力する。
【００５１】
ステップＳ３０５において、前記バッファ増幅器は前記アナログ電圧を増幅し、増幅されたアナログ電圧を薄膜トランジスタのソースに転送する。
【００５２】
本発明において、隣接する２つのデータチャネルが同一のデジタル／アナログ変換器を共用し、ライン反転信号により前記デジタル／アナログ変換器の基準電圧の極性を切り替えることにより、隣接する２つのデータチャネルの出力電圧極性を決定する。
【００５３】
一般的なソースドライバにおいて、デジタル／アナログ変換器は回路面積全体の約６０％以上を占めるのに対し、本発明は、２つのデータチャネルが同一のデジタル／アナログ変換器を共用することにより、ソースドライバの面積を約３０％減少するとともに、ソースドライバの製造コストを低減させる。
【００５４】
実施例３
図４は、液晶ディスプレイの回路模式図である。
【００５５】
前記液晶ディスプレイは、絵を表示する際に、１つの電界により液晶体の光透過率を制御する。そのため、液晶表示パネル３、ソースドライバ１、及びゲートドライバ２を含む液晶ディスプレイを提供する。
【００５６】
液晶表示パネル３において、複数本のデータ線５と複数本の走査線６は、互いに交差するように配置される。薄膜トランジスタは、前記データ線５と走査線６との交差箇所に位置し、前記薄膜トランジスタに被覆されている液晶の光透過率を制御する。
【００５７】
ソースドライバ１は、電圧モジュール５０に接続され、電力の供給を受けるために用いられるだけでなく、ゲートドライバ２とともにタイミングコントローラ３０のクロック信号を受信し、それぞれデータ線４及び走査線５により薄膜トランジスタにおける画像ユニット６にアナログ電圧と走査信号を転送する。
【００５８】
ソースドライバ１は、一端が表示制御モジュールに接続されることにより、ＣＰＵとＬＣＤとの相互間に通信させるとともに、他端がディスプレイに接続されることにより、ＬＣＤ内の各ＴＦＴトランジスタを駆動し、各階調レベルを実現する。そのため、ソースドライバは、ホストからのデジタル信号と制御信号をロジック処理した後、さらに、レベル変換とデジタル／アナログ変換を行なって初めて、出力キャッシュモジュールにより画像表示を駆動することができる。
【００５９】
理解できるように、各実施例において、強調しようとするところが異なるが、設計の趣旨が一致し、特定な実施例に詳述されていない部分について、明細書における詳細な説明を参照できるため、ここでは贅言しない。
【００６０】
上記より、本発明は好ましい実施例により開示されたが、上記の好ましい実施例は本発明を限定するものでなく、本発明の趣旨及び範囲を脱出しない限り、当業者であれば、様々な変更及び修飾を加えることができるため、本発明の保護範囲は、特許請求の範囲に基づくものである。
【図１】
2018511832.tif 000003
【図２】
2018511832.tif 000004
【図３】
2018511832.tif 000005
【図４】
2018511832.tif 000006
【国際調査報告】
2018511832.tif 000007
2018511832.tif 000008
2018511832.tif 000009
2018511832.tif 000010